(57)【要約】【課題】  同時に正面及び反面との巻回収納機能と戻し作業の機能とを備える布材チェック装置の伝動装置を提供する。【解決手段】第一のモータ１０は、展開軸４０を連動し、正回転時には布材８０がチェックされ逆回転時に布材８０を戻す。第二のモータ２０あるいは第三のモータ３０は、チェック時に第一の巻回軸５０と第二の巻回軸６０とを第一のモータ１０と同期且つ相同の方向あるいは同期かつ反対の方向に連動する。挟持伝送ローラ７０は、布材８０をそれ自体と第一の巻回軸５０あるいは第二の巻回軸６０との間に位置させるように作用し、正面と反面との布材収納作用を生成する。第一の一方向ツメ車機構２２と第二の一方向ツメ車機構３２とにより、第三のモータ３０が旋回する際に第二のモータ２０が作用を生成せず、第二のモータ２０が旋回する際に第三のモータ３０が作用を生成しない。【選択図】      図１
0003104538.tif 000002
【実用新案登録請求の範囲】
【請求項１】
布材が展開軸を通ってチェックを受け、チェックし終わった布材がそれぞれ第一の巻回軸と、第二の巻回軸を介して正面と反面との収納作業を実行するようにした、布材チェック装置の伝動装置において、
前記展開軸を連動することによって、二方向の連続性の旋回を実行し、正回転時に布材をチェックする作業を実行し、逆回転時に布材を戻させる戻し作業を実行するように設定された第一のモータと、
チェック作業を実行すると同時に、前記第一の巻回軸と、第二の巻回軸とを、前記第一のモータと同期するように、且つ相同の方向への連続性旋回を生成させるように連動し、且つその第一の巻回軸と第二の巻回軸とを連動する構造の中には、第一の一方向ツメ車機構が設けられるように設定された第二のモータと、
チェック作業を実行すると同時に、前記第一の巻回軸と、第二の巻回軸とを、前記第一のモータと同期するように、且つ反対の方向への連続性旋回を生成させるように連動し、且つその第一の巻回軸と第二の巻回軸とを連動する構造の中には、第二の一方向ツメ車機構が設けられ、その第二の一方向ツメ車機構の作用方向は前記第一の一方向ツメ車機構と反対になるように設定され、それによって、それ自体が連続性の旋回を生成する際に、前記第二のモータが作用を生成せず、反対の場合では、前記第二のモータが連続性の旋回を生成する場合に、それ自体が作用を生成しないように設定された第三のモータと、
選択的に前記第一の巻回軸または前記第二の巻回軸と当接し、布材をそれ自体と前記第一の巻回軸または第二の巻回軸との間に位置させるように作用し、その布材を連動することによって、正面と反面との布材収納作用を生成させるように設定された挟持伝送ローラと、
を少なくとも有することを特徴とする、
布材チェック装置の伝動装置。
【請求項２】
前記挟持伝送ローラが、布材を収納する作業を実行する場合に、前記挟持伝送ローラのある端部より操作部材が延出形成され、その操作部材によって、手操作の方式によって前記挟持伝送ローラを第一の巻回軸または第二の巻回軸に当接させるように選択的に操作できるように設定したことを特徴とする、
請求項１に記載の布材チェック装置の伝動装置。
【請求項３】
前記第一のモータが、第一のプーリー・セットを介して前記展開軸に連接され、展開軸の時計方向または逆時計方向の旋回を制御し、また、第二のモータが、第二のプーリー・セットを介して共同軸に連動され、その共同軸が、また、第四のプーリー・セットに連接され、これらのことによって、前記第二のモータを間接的に第一の巻回軸と第二の巻回軸に連動させ、また、前記第三のモータが、第三のプーリー・セットを介してある共同軸に連動され、その共同軸は、また第四のプーリー・セットに連接され、このことによって、前記の第三のモータを間接的に前記第一の巻回軸と前記第二の巻回軸に連動させるように設定したことを特徴とする、
請求項１に記載の布材チェック装置の伝動装置。
【考案の詳細な説明】
【技術分野】
【０００１】
本考案は、布材チェック装置の伝動装置に係わり、特にモータによって三種類の操作モードを切り替えることによって、布材チェック装置の布材巻回収納構造に正反面布材収納機能と布材戻し機能を付与できる、布材チェック装置の伝動装置に関するものである。
【背景技術】
【０００２】
従来の布材チェック装置は、主に、ライト・エミッティング・テーブル・フェースを有する布材チェック・テーブルの下方とその上方に、布材の通し巻き用のローラを配置し、布材をテンション展開機構によって布材チェック・テーブルを展開経由させるように作業をし、そのことによって、人力や機械などによって、布材には編みの欠陥や垢の欠陥などを有するかチェックをし、また、その下方のローラによって布材を巻回収納し、例えば、台湾公告第２１７０４０号の“布材チェック装置”と、台湾公告第３１９２５７号の“自動的展開式布材チェック装置”がそれらの例であり、前記に開示した知的財産権の布材チェック装置は、その布材の巻回収納する設計においては、単に、単一方向の巻回収納機能を提供し、例えば、布材の正面をチェックする場合では、単に正面よりの巻回収納を実行でき、または、正面をチェックする場合に、単に反面よりの巻回収納を実行できるように設計されたので、操作者は、布材を巻回収納する際に、正面巻回収納または反面巻回収納などの操作を選択できない課題を生成する。また、従来の布材チェック装置は、その布材を巻回収納するための構成は、単一の方向に限られるような課題は既に久しく存在し、ずっと改良できない原因は、その布材のチェックの過程中に問題が生じる場合、布材がチェック装置において平たくなくなったりし、または巻回収納する際に、布材が揃わないようになってしまうことなどが生じる場合に、そのチェック作業を一時停止し、布材を戻させるように操作する必要があり、その布材の戻し操作については、ローラの正面及び反面の巻回収納の作業のための構造の設計がかなり困難であり、そのポイントは、布材の戻し作業の際に、上方の布材展開用のローラと下方の布材巻回収納用のローラとの回転ストロークが一致しなければならず、もし、その軸の径や回転速度などの条件が異なるようになってしまう場合、そのストロークが一致しなくなってしまい、布材の戻し作業の際に、一方が詰め込まれ、順調に戻し作業を実行できなくなり、そのため、そのような布材チェック装置に、正面及び反面との巻回収納機能を同時に備えると共に、布材の戻し作業に不好適な影響を及ぼさないようにすることは、産業上の至急に解決されたい課題となっている。
【０００３】
そのため、本考案の考案者は、絶えずに研究開発を進め、従来の布材のチェック装置の伝動装置に対し改良設計を実施し、同時に正面及び反面との巻回収納機能を備えさせると共に、布材戻し作業に不好適な影響を出さないような構造を作り出して、出願を提起する。
【考案の開示】
【考案が解決しようとする課題】
【０００４】
そのため、本考案は、モータについて、三種の操作モードによって切り替えることによって、チェック装置に正面及び反面との巻回収納機能と戻し作業の機能とを同時に備えさせることによって、操作を簡素化し、且つチェックの作業効率を向上可能な、布材チェック装置の伝動装置を提供することをその主要な解決しようとする課題とする。
【０００５】
また、本考案は、最も簡単な構成と最も安価なコストによる伝動構造を提供することによって、チェック装置に同時に正面及び反面との巻回収納機能と戻し作業の機能とを備えさせられるような業界の至急のニーズを満たすことによって最も安価なコストにより最も優れる経済的効果を提供することをその第二の解決しようとする課題とする。
【課題を解決するための手段】
【０００６】
前記のそれぞれの目的を図るために、本考案は、同時に正面及び反面との巻回収納機能と戻し作業の機能とを備える布材チェック装置の伝動装置を提供する。
【考案を実施するための最良の形態】
【０００７】
本考案の具体的な構成については、以下に添付図面を参照しながら、本考案の実施可能な実施の形態を詳細に説明する。
【０００８】
図１に示すのは、本考案の一実施形態の布材チェック装置の伝動構造を示す説明図であり、その布材（図示省略）が、展開軸４０を通って、チェック作業を実行され、チェックされ終わった布材（図示省略）にそれぞれ第一の巻回軸５０と第二の巻回軸６０を介して正面または反面の巻回収納が実行される。そのような全体の伝動装置の設計方式によって、布材チェック巻回収納作業（図示省略）用の構造に、正反面の巻回収納作業と戻し作業とを共に実行可能な機能を付与する。その中では、前記チェック装置のある側には連通しあう第一の伝動箱１と第二の伝動箱２が配置され、それらの第一と第二の伝動箱１，２の内部には本考案の一実施形態の伝動装置が取り付けられており、それぞれがチェック装置における展開軸４０と第一の巻回軸５０と第二の巻回軸６０に対し連続性旋回のコントロールを実行する。
【０００９】
前記第一の伝動箱１内には三つのモータ・ベース同士３，４，５が配置され、それぞれが第一と第二と第三のモータ１０，２０，３０を取り付けることに供し、その中では、第一のモータ１０が第一のプーリー・セット１１を介して展開軸４０に連接され（現実では、その第一のプーリー・セット１１の方式は多くの他種の従来技術によって同じような効果を達成でき、本考案の論究する目的物ではないので、ここでは、くどくどしい説明を省略する）、前記第一のモータ１０によって展開軸４０を時計方向または逆時計方向へ連続的に回転させるようにコントロールできるようになっている。
【００１０】
また、第二のモータ２０が、第二のプーリー・セット２１を介して共同軸２３に連接され、前記共同軸２３がまた第四のプーリー・セット２４に連接され、これらのことによって、第二のモータ２０を間接的に第一の巻回軸５０と第二の巻回軸６０に連動連接し、前記第二のモータ２０が第一の巻回軸５０と第二の巻回軸６０とを時計方向へ向かって一方向性の連続性旋回を実行させるようにコントロールできる。その中では、前記第二のプーリー・セット２１の構造には第一の一方向ツメ車機構２２が取り付けられている。
【００１１】
また、第三のモータ３０が、第三のプーリー・セット３１を介して共同軸２３に連接され、前記共同軸２３がまた第四のプーリー・セット２４に連接され、これらのことによって、第三のモータ３０を間接的に第一の巻回軸５０と第二の巻回軸６０に連動連接し、前記第三のモータ３０が第一の巻回軸５０と第二の巻回軸６０とを逆時計方向へ向かって一方向性の連続性旋回を実行させるようにコントロールできる。その中では、前記第二のプーリー・セット３１の構造には第二の一方向ツメ車機構３２が取り付けられている。この第二の一方向ツメ車機構３２の作用方向は前記第一の一方向ツメ車機構２２と反対になっている。
【００１２】
また、前記第一の巻回軸５０と前記第二の巻回軸６０との間には平行に挟持伝送ローラ７０が配置され、当該挟持伝送ローラ７０の一端より手操作に供されることが可能な操作部材７１が延出配置され、その操作部材７１によって挟持伝送ローラ７０を選択的に第一の巻回軸５０または第二の巻回軸６０と当接接触させ、これらのことによって、第一の巻回軸５０と第二の巻回軸６０との布材巻回収納の回動の主動及び受動の関係を提供し、布材巻回収納装置によって布材を巻回収納する構造に、正反面巻回収納機能と戻し機能とを付与できる。
【００１３】
また、図１と図２に示すように、図２は、本考案の一実施形態のチェック装置の操作パネル９０を示すものであり、その中では、本考案の伝動装置を三種の操作モードに切り替えるようにコントロールすることができ、その第一種の操作モード９１は、第一のモータ１０と第二のモータ２０を同期に作動させるようにコントロールすることによって、第一のモータ１０と第二のモータ２０を同期に、且つ同一の方向へ作動させるように設定し、また、布材送り込みボタン９６を押すと、同時に第一のモータ１０と第二のモータ２０を正回転させるようにコントロールでき、また、ストップ・ボタン９５を押すと、作動を中止させることができる。その第二の操作モード９２は、第一と第三のモータ１０、３０を同期に作動させることによって、第一と第三のモータ１０，３０を同期的で反対方向へ作動させるように設定でき、また、布材送り込みボタン９６を押すと、同時に第一のモータ１０に正回転させられると共に、第三のモータ３０に逆回転させられる。もし、ストップ・ボタン９５を押すと、作動を中止する。また、第三種の操作モード９３は、第一のモータ１０に自身で作動させるようにコントロールし、また、戻しボタン９４を押すと、第一のモータ１０を起動して布材を戻させるように作業させられる。また、ストップ・ボタン９５を押すと、直ちに作動を停止させる。
【００１４】
また、図１と図３に示すように、操作モードが第一のモータ１０と第二のモータ２０を起動させる状態に切り替えられる場合に、第一のモータ１０が時計方向へ展開軸４０を連動して時計方向へ連続的に旋回させ、第二のモータ２０が時計方向へ第一の巻回軸５０と第二の巻回軸６０を連動して同じように時計方向へ連続的に旋回作動させ、この際、第二のプーリー・セット２１が間接的に第三のプーリー・セット３１を連動して時計方向へ旋回させ、第三のプーリー・セット３１に設けられる第二の一方向ツメ車機構３２によって、第三のプーリー・セット３１が時計方向へ旋回する際に、第二の一方向ツメ車機構３２が単に回転し、連動を生じない。
【００１５】
前記の説明から分かるように、第一のモータ１０と第二のモータ２０の起動の操作モードに切り替えられる際に、展開軸４０と、第一の巻回軸５０と第二の巻回軸６０とがすべて時計方向へ連続的に旋回する状態になり、そのため、布材８０が展開軸４０よりチェック・テーブル６へ送り込まれ、また、下方の第一の巻回軸５０と第二の巻回軸６０によって布材８０を巻回収納し、その布材収納作業を実行する前に、操作部材７１を手操作することによって、挟持伝送ローラ７０と第二の巻回軸６０とを当接接触させるようにコントロールすると、布材８０が挟持伝送ローラ７０と第二の巻回軸６０との間より送り出され、また、第一の巻回軸５０も時計方向へ旋回して布材８０を連動して内方へ巻回するので、布材８０が順調に巻回収納されることができるようになり、その中では、チェック・テーブル６におけるチェックされる布材８０のチェックされる面８１が内面に巻回収納され、即ち、正面チェックをし、且つ反面の巻回収納を実行する状態になる（図３参照）。
【００１６】
また、図１と図４に示すように、操作モードが第一のモータ１０と第三のモータ３０が起動される状態では、その中では、第一のモータ１０が時計方向へ向かって展開軸４０を連動して時計方向の連続性旋回を実行させ、第三のモータ３０が逆時計方向へ向かって第一の巻回軸５０と第二の巻回軸６０とを同時に逆時計方向へ連続的に旋回させるように連動し、この際、第三のプーリー・セット３１が間接に第二のプーリー・セット２１を連動して同じように逆時計方向へ旋回させ、第二のプーリー・セット２１に設けられる第一の一方向ツメ車機構２２によって、第二のプーリー・セット２１が逆時計方向へ旋回する時に、第一の一方向ツメ車機構２２が単に回転をし、連動を生じない。
【００１７】
そのため、第一のモータ１０と第三のモータ３０が起動する操作モードに切り替えられる際に、展開軸４０が時計方向へ連続的に旋回し、第一の巻回軸５０と第二の巻回軸６０が逆時計方向へ連続的に旋回する状態になり、そのため、布材８０が展開軸４０よりチェック・テーブル６へ送り込まれ、また、下方の第一の巻回軸５０と第二の巻回軸６０によって布材８０を巻回収納し、布材の巻回収納作業を実行する前に、操作部材７１を手操作することによって、挟持伝送ローラ７０と第一の巻回軸５０とを当接接触させるようにコントロールし、布材８０が挟持伝送ローラ７０と第一の巻回軸５０との間より送り出され、また、第二の巻回軸６０も逆時計方向へ旋回し、布材８０を連動して内方へ巻回収納し、そのため、布材８０が順調に巻回収納されるようになり、その中では、チェック・テーブル６における布材８０のチェックされた面８１が外方へ向かって巻回収納され、即ち、正面チェック、且つ正面巻回収納の状態となる（図４参照）。
【００１８】
また、図１と図５に示すように、操作モードが第一のモータ１０だけ起動され、第二のモータ２０と第三のモータ３０が起動されない状態に切り替えられる場合、第一のモータ１０が逆時計方向へ展開軸４０を連動して逆時計方向への連続性回転を実行させることによって、布材８０を上向けて巻回収納され、この状態は布材戻し作業となる。
【００１９】
しかしながら、前記に述べたのは、単に本考案の実施可能な実施形態にすぎず、本考案の実施範囲を局限するものではなく、本考案のテクニックの要旨に基づいて実施されるすべての相同の効果を有する他の実施の形態や変化や修飾などのものも本考案のカバーする範囲内に包含されるべきである。
【産業上の利用可能性】
【００２０】
本考案による場合、有用な布材チェック装置の伝動装置を提供できる。
【図面の簡単な説明】
【００２１】
【図１】本考案の伝動装置を示す説明図である。
【図２】本考案の操作パネルを示す説明図である。
【図３】本考案の布材の正面チェックと反面チェックの場合を示す説明図である。
【図４】本考案の布材の正面チェックと反面チェックの場合を示す説明図である。
【図５】本考案が布材戻し作業を実行する場合を示す説明図である。
【符号の説明】
【００２２】
１０…第一のモータ、２０…第二のモータ、２２…第一の一方向ツメ車機構、３０…第三のモータ、３２…第二の一方向ツメ車機構、４０…展開軸、５０…第一の巻回軸、６０…第二の巻回軸、７０…挟持伝送ローラ、８０…布材。
【図１】
0003104538.tif 000003
【図２】
0003104538.tif 000004
【図３】
0003104538.tif 000005
【図４】
0003104538.tif 000006
【図５】
0003104538.tif 000007